(57)【要約】【課題】  意図せずに不適切な内容をＷｅｂコンテンツに更新してしまうことを防止するためにＷｅｂログサーバ側で警告を発するＷＥｂログサーバシステムを提供する。【解決手段】  更新するＷｅｂコンテンツ内容をチェックするＷｅｂログチェック機構部と不適切な内容を更新したユーザ名、更新回数を保存するＮＧワード違反者管理データベース（ＤＢ）を有するＷｅｂログチェックサーバを設け、Ｗｅｂログ更新時にＷｅｂログチェック機構部で更新内容をＮＧワード違反者管理データベース（ＤＢ）の記録内容と比較し、内容が不適切な場合、規定回数の違反を行っている場合にはＷｅｂログ更新機構にＷｅｂログ更新の許可を出さないようにし、規定回数に満たない場合にはＷｅｂログ更新の可否の確認を行うようＷｅｂ更新機構部に指示をおこなうＷＥｂログサーバシステム。【選択図】  図１
2009288910.tif 000002
【特許請求の範囲】
【請求項１】
Ｗｅｂログ更新機構、Ｗｅｂログ公開部を有し、Ｗｅｂログを表示するＷｅｂログサーバと、前記Ｗｅｂログを閲覧および更新するＷｅｂログ更新端末とを備え、前記Ｗｅｂログを前記Ｗｅｂログ更新端末より更新するシステムにおいて、
前記Ｗｅｂログ更新端末からのコンテンツ更新内容をチェックするＷｅｂログ更新内容チェックサーバを設け、
前記Ｗｅｂログ更新端末からの更新内容が前記Ｗｅｂログ更新内容チェックサーバにて不適切であると判断される場合、前記Ｗｅｂログ更新端末へ警告表示を行い、Ｗｅｂログ更新の可否有無をＷｅｂログ更新端末を有するＷｅｂログ更新者が判断できるようにし、前記Ｗｅｂログ更新を行う場合は前記Ｗｅｂログ更新内容チェックサーバで、更新回数をチェックし、回数が多い場合はＷｅｂログの更新を行わないようにすることを特徴とするＷｅｂログサーバシステム。
【発明の詳細な説明】
【技術分野】
【０００１】
本発明はＷｅｂログサーバシステムの関し、更に詳しくはＷｅｂログ更新内容チェックサーバによるＷｅｂログの品質低下防止、特に、不適切な更新内容のＷｅｂログ更新者には警告表示を行い、不適切な更新内容のＷｅｂログ更新者にはログ更新を制約し、Ｗｅｂログの内容の品質低下を防止するシステム、方法に関する。
【背景技術】
【０００２】
近年、Ｗｅｂログの閲覧者からの更新内容に不適切な内容が多くＷｅｂログが閉鎖される事例が増加しており、Ｗｅｂログ内容をチェックするシステムが実用化している。
【０００３】
この種のＷｅｂログ内容をチェックするシステムは、例えば特開２００３−７６６４０号公報に記載されているように電子掲示版等において、不適切な投稿があった場合に、自動的にその受付けを拒否したり、自動的に削除する方法がある。
【０００４】
【特許文献１】特開２００５−２０８８１４号公報
【特許文献２】特開２００３−７６６４０号公報
【発明の開示】
【発明が解決しようとする課題】
【０００５】
従来はＷｅｂログ閲覧者によるＷｅｂログ更新時、更新内容に不適切な表現がある場合は自動的に受付けを拒否したり、削除するものであった。この場合、Ｗｅｂログ閲覧者に更新の可否を判断させることが出来ないため、意図せずに不適切な内容をＷｅｂコンテンツに更新しようとすると即座に自分のコンテンツが拒否されてしまい、それ以降更新が出来なくなり、結果Ｗｅｂログを閲覧するユーザが減りＷｅｂログ内容の品質が低下してしまうという課題がある。
【課題を解決するための手段】
【０００６】
上記課題を解決するため、本発明（請求項１にかかる発明）は、更新するＷｅｂコンテンツ内容をチェックするＷｅｂログチェック機構部と不適切な内容を更新したユーザ名、更新回数を保存するＮＧワード違反者管理データベース（ＤＢ）を有するＷｅｂログチェックサーバを設け、Ｗｅｂログ更新時にＷｅｂログチェック機構部で更新内容をＮＧワード違反者管理データベース（ＤＢ）の記録内容と比較し、内容が不適切な場合、規定回数の違反を行っている場合にはＷｅｂログ更新機構にＷｅｂログ更新の許可を出さず、規定回数に満たない場合にはＷｅｂログ更新の可否の確認を行うようＷｅｂ更新機構部に指示をおこなう構成とした。このことで意図せずにＷｅｂログ閲覧者が不適切な内容をＷｅｂコンテンツに更新しようとすると即座に自分のコンテンツが拒否されることを防止する。
【発明の効果】
【０００７】
本発明はＷｅｂコンテンツ更新内容をチェックし内容が不適切な場合、ＮＧワード違反者管理データベース（ＤＢ）を参照し、規定回数の違反を行っている場合にはＷｅｂログ更新機構にＷｅｂログ更新の許可を出さず、規定回数に満たない場合にはＷｅｂログ更新の可否の確認を行うＷｅｂログチェックサーバ（コンテンツチェック機構）を設けているため、Ｗｅｂ閲覧者が意図せずに不適切な内容をＷｅｂコンテンツに更新しようとすると即座に自分のコンテンツが拒否されてしまうことを防止する利点がある。
【発明を実施するための最良の形態】
【０００８】
以下、本発明の実施の形態について図面により詳細に説明する。
【実施例１】
【０００９】
図１は本発明を適応した実施の形態のブロック図を示したものである。
【００１０】
図１において、１０はＷｅｂログサーバ、２０はＷｅｂログ更新機構部、３０はＷｅｂログ公開部、４０はＷｅｂログチェックサーバ、５０はＷｅｂログチェック機構部、６０はＮＧワード違反者管理データベース（ＤＢ）、７０はＷｅｂログ更新端末である。本発明の形態ではＷｅｂログサーバ１０は１台しか示されていないが、無論、実際にはこれ以上のＷｅｂログサーバがＷｅｂログチェックサーバ４０に結ばれていることは云うまでもない。８０はＷｅｂログ更新端末７０とＷｅｂログサーバ１０を結合するネットワークである。
【００１１】
Ｗｅｂログサーバ１０はＷｅｂログ更新機構部２０、Ｗｅｂログ公開部３０を有しているＷｅｂログチェックサーバ４０はＷｅｂログチェック機構部５０、ＮＧワード違反者管理ＤＢ６０を有している。
【００１２】
ＮＧワード違反者管理ＤＢ６０はＷｅｂログを更新するのに不適切な言葉とＷｅｂログに更新したユーザ名と更新回数を記録している。Ｗｅｂログチェック機構部５０はＷｅｂログ更新端末７０がＷｅｂログを更新する時に該更新端末から入力されたＷｅｂログ更新内容とＮＧワード違反者管理ＤＢ６０の記録内容とを比較し、Ｗｅｂログを更新するのに不適切な内容はないか、不適切な言葉をＷｅｂログに更新した回数は何回であるかのチェックを行う。
【００１３】
図３はＷｅｂログチェック機構部５０の構成を示すブロック図である。同図において、Ｗｅｂログチェック機構部５０は、例えば図２に示す如く、Ｗｅｂログサーバ１０側からのコンテンツチェック依頼に基づきコンテンツの更新を許可するか否かの処理を実行する計算機処理プログラムを含む計算機からなり、Ｗｅｂサーバ更新機構部２０からのユーザ情報、コンテンツを含むコンテンツチェック依頼を受け付けるコンテンツチェック依頼受付部５１と、Ｗｅｂログサーバ１０から依頼されたコンテンツの内容を確認し、適切なコンテンツか否かを判断する判断部５２と、ＮＧワード違反者管理データベース６０の記録内容を参照し、ユーザのＮＧワード違反回数を判定する判定部５３と、ＮＧワード違反回数が所定数を超えていない場合、Ｗｅｂサーバ１０のＷｅｂログ更新機構部２０にＷｅｂログ更新の可否確認依頼をするＷｅｂログ更新確認依頼部５４と、Ｗｅｂログサーバ１０側の応答を見てＷｅｂログ更新の可否を判定する更新判定部５６と、Ｗｅｂログ更新が可の場合、ＮＧワード違反者管理データベース６０に違反回数を＋１回およびユーザ名を登録する違反者・違反回数登録部５７と、コンテンツ内容判定部５２にてコンテンツ内容が適切であると判断した場合にはＷｅｂログサーバ１０側に対して更新許可を出し、ユーザ・ＮＧワード違反回数判定部５３にて規定違反回数（例えば２回）を超えた場合および更新判定部５６にて更新否の場合にはＷｅｂログ更新拒否を出す更新許可部５５を備えている。
【００１４】
コンテンツチェック依頼受付部５１は情報送受信部を構成し、コンテンツ内容判断部５２とユーザ・NGワード違反回数判定部５３とWebログ更新確認依頼部５４と更新許可部５５と更新判定部５６と違反回数登録部５７は演算部を構成している。
【００１５】
次にコンテンツ更新時のＷｅｂログチェック機構部５０の処理動作について図２のフローチャートに従って説明する。
【００１６】
Ｗｅｂログ更新時、Ｗｅｂログサーバ１０のＷｅｂログ更新機構部２０から更新する文章、ユーザ名をＷｅｂログチェックサーバ４０へ送信すると、これらをＷｅｂログチェックサーバ４０のコンテンツチェック依頼受付部５１にて受け（ステップＳ２００）、コンテンツ内容判断部５２にて判断し（ステップＳ２０１）する。そのＷｅｂログの更新内容が適切であるか判断するためにはユーザ・ＮＧワード違反回数判定部５３によりＷｅｂログの更新する文章およびユーザ名をＷｅｂログチェックサーバ４０のＮＧワード違反者管理ＤＢ６０の記録内容と比較する。
【００１７】
比較した結果、コンテンツ内容が適切である場合、つまりＮＧワードと合致する文章がない場合にはＷｅｂログチェックサーバ４０のＷｅｂログチェック機構部５０更新許可部５５よりＷｅｂログサーバ１０のＷｅｂログ更新機構部２０にＷｅｂログ公開部３０の更新許可を出す（ステップＳ２０２）。
【００１８】
比較した結果、コンテンツ内容が適切でない場合、つまりＮＧワードと合致する文章があり、かつ同一ユーザかつ不適切な文章を掲載した回数が規定値をこえている場合（ステップＳ２０３）にはＷｅｂログチェック機構部５０の更新許可部５５を介してＷｅｂログ更新機構部２０にＷｅｂログ公開部３０の更新拒否を出す（ステップＳ２０４）。
【００１９】
同一ユーザかつＮＧワードと合致する文章を掲載した回数が規定値を超えない場合にはＷｅｂログ更新確認依頼部５４より更新可否の確認指示をＷｅｂログ更新機構部２０に出す（ステップＳ２０５）。このとき、Ｗｅｂログ更新端末７０より更新可能の回答があれば違反回数登録部５７によりＮＧワード違反者管理ＤＢ６０に違反回数＋１回およびユーザ名を登録し（ステップＳ２０８）、Ｗｅｂログチェック機構部５０の更新許可部５５を介してＷｅｂログ更新機構部２０にＷｅｂログ公開部３０の更新許可を出す（ステップＳ２０９）。
【００２０】
Ｗｅｂログ更新端末７０より更新拒否の回答があれば、Ｗｅｂログチェック機構部５０の更新許可部５５を介してＷｅｂログ更新機構部２０にＷｅｂログ公開部３０の更新拒否を出す（ステップＳ２０７）。
【産業上の利用可能性】
【００２１】
本発明はＷｅｂログ更新内容チェックサーバによるＷｅｂログの品質低下防止方法、特に、Ｗｅｂコンテンツ更新内容をチェックし内容が不適切な場合、即座に更新を拒否するのではなく警告を表示し、Ｗｅｂログ更新の可否の確認を行うことでＷｅｂログ閲覧者の減少を防ぐことができ、Ｗｅｂログ内容の品質が低下してしまう可能性を低くする方法であり産業上の利用価値のきわめて高いものである。  
【図面の簡単な説明】
【００２２】
【図１】本発明の一実施形態を示すシステム構成ブロック図
【図２】Ｗｅｂログ更新時のコンテンツチェック機構部の処理動作を示すフローチャート
【図３】Ｗｅｂログチェック機構部の一例を示すブロック図
【符号の説明】
【００２３】
１０：Ｗｅｂログサーバ
２０：Ｗｅｂログ更新機構部
３０：Ｗｅｂログ公開部
４０：Ｗｅｂログチェックサーバ
５０：Ｗｅｂログチェック機構部
６０：ＮＧワード違反者管理データベース（ＤＢ）
７０：Ｗｅｂログ更新端末
【図１】
2009288910.tif 000003
【図２】
2009288910.tif 000004
【図３】
2009288910.tif 000005